(57)【要約】【課題】回収した流動物を滞留することなく、確実に先入れ先出し方式で排出する。【解決手段】軸心方向に内容積を変更可能に構成された一時貯留空間５ａを有するハウジング２を備える。ハウジング２は、軸心方向に互いに離れた位置に形成されて一時貯留空間５ａに連通する供給口７及び排出口８を備える。またハウジング２は、供給口７を介して一時貯留空間５ａに流動物を均等に供給する流路５ｂを備える。【選択図】図１
2018030126.tif 000002
【特許請求の範囲】
【請求項１】
軸心方向に内容積を変更可能に構成された一時貯留空間を有するハウジングを備え、
前記ハウジングは、
前記軸心方向に互いに離れた位置に形成されて前記一時貯留空間に連通する供給口及び排出口と、
前記供給口を介して前記一時貯留空間に流動物を均等に供給する流路と、
を有することを特徴とするアキュムレータ。
【請求項２】
前記流路は、前記ハウジングに形成される複数の内部流路を備えることを特徴とする請求項１に記載のアキュムレータ。
【請求項３】
前記ハウジングの内部に配置され、前記供給口に対向する位置から前記ハウジングの内面に沿って均等に延びる壁部に、前記壁部によって分岐された流動物をそれぞれ前記一時貯留空間側へと導く穴部を形成してなる仕切部材を備え、
前記内部流路は、前記ハウジングの内面と、前記仕切部材の前記壁部の外面とで構成されていることを特徴とする請求項２に記載のアキュムレータ。
【請求項４】
前記軸心方向に往復移動可能に配置されるシリンダを備え、
前記シリンダの外周面と、前記仕切部材の前記壁部の内周面との間に、前記内部流路と前記一次貯留空間とを結ぶ環状空間を形成されていることを特徴とする請求項３に記載のアキュムレータ。
【請求項５】
前記ハウジングの内部に配置され、前記供給口に対向する位置から前記ハウジングの内面に沿って均等に延びる仕切壁を有する仕切部材と、
前記軸心方向に往復移動可能に配置されるシリンダと、
を備え、
前記内部流路は、前記ハウジングの内面と、前記仕切部材の仕切壁の外面とで構成され、
前記ハウジングの内面と、前記シリンダの外周面との間に、前記内部流路と前記一次貯留空間とを結ぶ拡張空間を形成されていることを特徴とする請求項２に記載のアキュムレータ。
【請求項６】
前記ハウジングは複数の前記供給口を備え、
前記流路は、前記複数の供給口にそれぞれ接続される複数の外部流路を備えることを特徴とする請求項１から５のいずれか１項に記載のアキュムレータ。
【請求項７】
前記ハウジングは筒状で、前記ハウジングの一端側内面は他端側内面に向かって移動可能なシリンダの先端面で構成され、前記シリンダの先端面中央部に突出部が形成されていることを特徴とする請求項１から６のいずれか１項に記載のアキュムレータ。
【請求項８】
前記軸心方向に往復移動可能に配置されるシリンダと、
前記シリンダを前記一次貯留空間内へと突出させるように付勢する付勢手段と、
を備えていることを特徴とする請求項１から７のいずれか１項に記載のアキュムレータ。
【請求項９】
前記軸心方向に往復移動可能に配置されるシリンダと、
前記シリンダを前記一次貯留空間内へと突出させるように、前記シリンダに対して流体圧を作用させる加圧手段と、
を備えていることを特徴とする請求項１から７のいずれか１項に記載のアキュムレータ。
【請求項１０】
前記軸心方向に往復移動可能に配置されるシリンダと、
前記シリンダを前記一次貯留空間内へと突出させる駆動手段と、
を備えていることを特徴とする請求項１から７のいずれか１項に記載のアキュムレータ。
【請求項１１】
ポンプと、
前記ポンプから供給される流動物を吐出するディスペンサと、
前記ディスペンサと前記ポンプとを結ぶ配管の途中に設けられる、請求項１から１０のいずれか１項に記載のアキュムレータと、
を備えていることを特徴とする流動物吐出システム。
【請求項１２】
ポンプと、
前記ポンプから供給される流動物を吐出する、請求項１から１０のいずれか１項に記載のアキュムレータと、
を備えていることを特徴とする流動物吐出システム。
【請求項１３】
ポンプと、
前記ポンプから流動物が供給される、請求項１から１０のいずれか１項に記載のアキュムレータと、
前記アキュムレータの下流側に接続される開閉バルブと、
を備えていることを特徴とする流動物吐出システム。
【発明の詳細な説明】
【技術分野】
【０００１】
本発明は、配管に取り付けられて液を蓄積するアキュムレータ及び流動物吐出システムに関するものである。
【背景技術】
【０００２】
主に自動車業界では、シール材等の超高粘度液をディスペンサに供給するために高圧ポンプが使用されている。高圧ポンプの特性上、吐出させた超高粘度液に脈動が発生することは避けられない。そこで、ディスペンサの手前にアキュムレータを設け、このアキュムレータで、一旦、超高粘度液を貯留することにより、高圧で脈動のある流れを低圧で一定の流れに変換するようにしている。また、アキュムレータを設ける場合、ディスペンサを用いずに、高圧ポンプから供給された液体をアキュムレータから直接吐出させることもある。
【０００３】
従来、アキュムレータとして、ケーシングの連通部に配管を接続し、ケーシング内にスプリングによって付勢されたピストンを配置するようにした構成のものが公知である（例えば、特許文献１参照）。この構成のアキュムレータでは、配管内の液圧が上昇すれば、スプリングの付勢力に抗してケーシング内に液を回収し、逆に配管内の液圧が低下すれば、スプリングの付勢力でピストンを移動させ、ケーシング内に収容した液を排出する。
【０００４】
また他のアキュムレータとして、筒状のシリンダ本体に流入口と流出口を形成し、流入口からシリンダ本体内に流入した液をピストンによって押圧し、流出口から流出させる、いわゆる「先入れ先出し方式」のものが公知である（例えば、特許文献２参照）。
【先行技術文献】
【特許文献】
【０００５】
【特許文献１】特開２００４−２４９２４３号公報
【特許文献２】特開昭６３−４１６８８号公報
【発明の概要】
【発明が解決しようとする課題】
【０００６】
しかしながら、前者のアキュムレータでは、ケーシング内に回収された液が、回収順ではなく回収逆順に排出される、いわゆる「先入れ後出し方式」となっている。このため、先に回収した液がケーシング内に長期に亘って滞留する恐れがあり、液の種類によっては種々の問題を発生させることがある。例えば、液が湿気硬化型接着剤であれば、ケーシング内で固化してスプリングの動作不良等を生じさせ、アキュムレータが使用不能となる恐れがある。また液が食品用途のものであれば、ケーシング内に長期間滞留すると、劣化や変質により衛生上の問題を発生させる恐れがある。
【０００７】
また、後者のアキュムレータでは、流入口がシリンダ本体の外周壁上部に形成されている。この流入口から回収した液は、シリンダ本体の径方向よりも、シリンダ本体の軸方向、すなわち斜め前方の流出口へと流れやすい。このため、流入口の対向部分、すなわちシリンダ本体の下部側内周面近傍に液が滞留しやすい。このため、やはり前者のアキュムレータと同様な問題が発生する恐れがある。
【０００８】
そこで、本発明は、回収した液（流動物）を滞留することなく、確実に先入れ先出し方式で排出することのできるアキュムレータ及び流動物吐出システムを提供することを課題とする。
【課題を解決するための手段】
【０００９】
本発明は、前記課題を解決するための手段として、
軸心方向に内容積を変更可能に構成された一時貯留空間を有するハウジングを備え、
前記ハウジングは、
前記軸心方向に互いに離れた位置に形成されて前記一時貯留空間に連通する供給口及び排出口と、
前記供給口を介して前記一時貯留空間に流動物を均等に供給する流路と、
を有することを特徴とするアキュムレータを提供する。
【００１０】
この構成により、供給口を介して流入する流動物は、流路によって均等に一時貯留空間へと供給される。このため、流動物が一時貯留空間の一部に滞留することがなくなる。また、一時貯留空間が軸心方向に内容積を変更可能に構成され、供給口及び排出口がこの軸心方向に離れて配置されているため、流動物は供給口から一時貯留空間内へと流入した順に、先入れ先出し方式で排出口から排出される。
【００１１】
前記流路は、前記ハウジングに形成される複数の内部流路を備えるのが好ましい。
【００１２】
この構成により、ハウジングからの突出部分を抑えてコンパクトなものとすることができる。
【００１３】
前記ハウジングの内部に配置され、前記供給口に対向する位置から前記ハウジングの内面に沿って均等に延びる壁部に、前記壁部によって分岐された流動物をそれぞれ前記一時貯留空間側へと導く穴部を形成してなる仕切部材を備え、
前記内部流路は、前記ハウジングの内面と、前記仕切部材の前記壁部の外面とで構成されているのが好ましい。
【００１４】
この構成により、ハウジング内に仕切部材を収容しただけの簡単な構成で内部流路を形成することができる。
【００１５】
前記軸心方向に往復移動可能に配置されるシリンダを備え、
前記シリンダの外周面と、前記仕切部材の前記壁部の内周面との間に、前記内部流路と前記一次貯留空間とを結ぶ環状空間を形成されているのが好ましい。
【００１６】
この構成により、内部流路から穴部を通過した流動物を、環状空間を通過することで、一時貯留空間へと均等に流入させることができる。
【００１７】
前記ハウジングの内部に配置され、前記供給口に対向する位置から前記ハウジングの内面に沿って均等に延びる仕切壁を有する仕切部材と、
前記軸心方向に往復移動可能に配置されるシリンダと、
を備え、
前記内部流路は、前記ハウジングの内面と、前記仕切部材の仕切壁の外面とで構成され、
前記ハウジングの内面と、前記シリンダの外周面との間に、前記内部流路と前記一次貯留空間とを結ぶ拡張空間を形成されているのが好ましい。
【００１８】
この構成により、内部流路を通過した流動物を、拡張空間へと流動させることで、さらに分散させた後、一時貯留空間へと流動させることができる。
【００１９】
前記ハウジングは複数の前記供給口を備え、
前記流路は、前記複数の供給口にそれぞれ接続される複数の外部流路を備えるのが好ましい。
【００２０】
この構成により、ハウジングの内部構成を簡略化することができる。
【００２１】
前記ハウジングは筒状で、前記ハウジングの一端側内面は他端側内面に向かって移動可能なシリンダの先端面で構成され、前記シリンダの先端面中央部に突出部が形成されているのが好ましい。
【００２２】
この構成により、すなわち突出部によって、一時貯留空間での流動物の流れをより一層滞留しにくくすることができる。
【００２３】
前記軸心方向に往復移動可能に配置されるシリンダと、
前記シリンダを前記一次貯留空間内へと突出させるように付勢する付勢手段と、
を備えることができる。
【００２４】
前記軸心方向に往復移動可能に配置されるシリンダと、
前記シリンダを前記一次貯留空間内へと突出させるように、前記シリンダに対して流体圧を作用させる加圧手段と、
を備えることができる。
【００２５】
前記軸心方向に往復移動可能に配置されるシリンダと、
前記シリンダを前記一次貯留空間内へと突出させる駆動手段と、
を備えることができる。
【００２６】
本発明は、前記課題を解決するための手段として、
ポンプと、
前記ポンプから供給される流動物を吐出するディスペンサと、
前記ディスペンサと前記ポンプとを結ぶ配管の途中に設けられる、前記いずれかの構成のアキュムレータと、
を備えていることを特徴とする流動物吐出システムを提供する。
【００２７】
本発明は、前記課題を解決するための手段として、
ポンプと、
前記ポンプから供給される流動物を吐出する、前記いずれかの構成のアキュムレータと、
を備えていることを特徴とする流動物吐出システムを提供する。
【００２８】
本発明は、前記課題を解決するための手段として、
ポンプと、
前記ポンプから流動物が供給される、前記いずれかの構成のアキュムレータと、
前記アキュムレータの下流側に接続される開閉バルブと、
を備えていることを特徴とする流動物吐出システムを提供する。
【発明の効果】
【００２９】
本発明によれば、ハウジングに軸心方向に互いに離れた供給口と排出口とを形成し、軸心方向にハウジングの一時貯留空間の内容積を変更可能としたので、流動物を供給口から一時貯留空間に供給した順で排出口から排出できる。また、流路を介して一時貯留空間へと流動物を均等に供給するようにしたので、一時貯留空間内で流動物が部分的に滞留することがなくなり、流動物の固化や劣化等の不具合の発生を防止できる。
【図面の簡単な説明】
【００３０】
【図１】本実施形態に係るアキュムレータの縦断面図である。
【図２】図１のＡ−Ａ線断面図である。
【図３】図１の仕切部材の斜視図である。
【図４】本発明のアキュムレータを適用した流動物吐出システムの一例を示す概略図である。
【図５】他の実施形態に係るアキュムレータの縦断面図である。
【図６】図５のＢ−Ｂ線断面図である。
【図７】他の実施形態に係るアキュムレータの横断面図である。
【図８】他の実施形態に係る仕切部材の斜視図である。
【図９】他の実施形態に係る仕切部材の斜視図である。
【図１０】本発明のアキュムレータを適用した他の実施形態に係る流動物吐出システムの一例を示す概略図である。
【図１１】他の実施形態に係るアキュムレータの縦断面図である。
【図１２】他の実施形態に係るアキュムレータの縦断面図である。
【発明を実施するための形態】
【００３１】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは相違している。
【００３２】
図１は、本実施形態に係るアキュムレータ１を示す。このアキュムレータ１は、ハウジング２内にシリンダ３及び仕切部材４を収容した構成である。
【００３３】
ハウジング２は筒状で、第１ハウジング５と第２ハウジング６とで構成されている。第１ハウジング５には両端側に供給口７及び排出口８がそれぞれ形成され、それぞれ第１ハウジング５の内外を連通している。図１では、供給口７は、第１ハウジング５の一端側から上方に向かって突出する筒状部９によって構成されている。また、排出口８は、第１ハウジング５の他端側下面に開口している。第１ハウジング５の一端部は供給口７よりも先の部分が他の部分よりも外径寸法が若干小さく、そこには第２ハウジング６が接続されている。
【００３４】
第１ハウジング５の内部は、一端側から第１領域１０、第２領域１１、第３領域１２及び第４領域１３となっている。第２領域１１、第３領域１２及び第４領域１３で、流動物が流動する内部空間が構成されている。
【００３５】
第１領域１０は、第２領域１１及び第３領域１２よりも内径寸法が大きく、そこにはシールケース１４に収容されたシール部材１５が配置されている。シールケース１４はハウジング２の軸心方向に並んで配置される第１シールケース１４ａと、第２シールケース１４ｂとからなる。第１シールケース１４ａは第２シールケース１４ｂよりも長い。第１シールケース１４ａの内周面には、第１シール部材１５ａとウェアリング１６とが設けられている。第２シールケース１４ｂの内周面には、第１シール部材１５ａと同様な構成を有する第２シール部材１５ｂが設けられている。シール部材１５は、シリンダ３の外周面に密着して第１ハウジング５と第２ハウジング６との間を封止する。ウェアリング１６は、後述するシリンダ３を軸心方向に沿ってスライド可能に支持するスラスト軸受として機能する。
【００３６】
第２領域１１には供給口７が開口している。図１では、第２領域１１の上方部分に供給口７が開口している（供給口７の開口位置についての制限は特にない。）。図２に示すように、開口部分から周方向の両側に向かって、内径寸法が大きい第１拡径部１７が形成されている。第１拡径部１７から下方側の部分には、第１拡径部１７よりも内径寸法の小さい第２拡径部１８が形成されている。第２領域１１には後述する仕切部材４が配置される。
【００３７】
図１に戻って、第３領域１２は、後述する第４領域１３と共に、第１ハウジング５に形成される内部空間内で一時貯留空間５ａを構成する。第３領域１２には、後述するシリンダ３の一部が突出可能となっている。シリンダ３は付勢手段の一例であるスプリング２１によって押圧されており、第３領域１２及び第４領域１３に位置する流動物に対して常に一定の加圧力を作用させる。
【００３８】
第４領域１３は、第３領域１２を排出口８へとつなげるための空間である。第４領域１３は、第１ハウジング５の軸心方向に対し、図１中、下方側に延びている。また第４領域１３が第３領域１２につながる部分は流路断面積が狭くなっている。これにより、流動物に対してシリンダ３による加圧力を効果的に作用させることができる。
【００３９】
第２ハウジング６は、一端側が外径方向に拡張されて前記第１ハウジング５の一端部（第１領域１０に対応する部分の外周面）に接続される。第２ハウジング６の他端側は閉鎖され、その閉鎖壁１９の内面にはスプリング２１の一端部が圧接可能となっている。また閉鎖壁１９の中央部にはエア抜き孔２０が形成されている。エア抜き孔２０は、シリンダ３が往復移動する際、内部の空気圧が増減することを防止し、発生する空気抵抗を緩和する。
【００４０】
シリンダ３は、一端側が閉鎖し、他端側が開口した中空筒状で、内部空間には付勢手段としてのスプリング２１が配置される。スプリング２１の一端部は、シリンダ３の閉鎖壁３ａの内面に当接し、他端部はシリンダ３の開口３ｂから突出して第２ハウジング６の閉鎖壁１９の内面に当接している。これにより、シリンダ３は、図１中、左方向すなわち先端面側へと付勢され、第３領域１２内に突出あるいは退避可能な状態となる。これにより、第１ハウジング５の一時貯留空間５ａの内容積が変更可能となっている。シリンダ３の閉鎖壁３ａの外面中央部には突出部２２が形成されている。突出部２２は、円柱部２２ａと、その先端側の円錐台部２２ｂとで構成されている。突出部２２は、第３領域１２の中央部分に突出する。
【００４１】
図３に示すように、仕切部材４は筒状の壁部２３を備える。壁部２３の一端側開口部には鍔部２４が形成されている。壁部２３には軸心を中心とする対称な位置２箇所に穴部２５がそれぞれ形成されている。各穴部２５は、平面視矩形状に形成されている。
【００４２】
図１に示すように、仕切部材４は第１ハウジング５の第２領域１１に装着される。装着状態では、図２に示すように、壁部２３の穴部２５よりも下方側の部分が第２領域１１の下方側の第２拡径部１８に接触する。そして、壁部２３の内周面と第３領域１２の内周面とが面一となる。壁部２３の穴部２５よりも上方側の部分が第２領域１１の第１拡径部１７の内面との間に隙間を形成する。このとき、各穴部２５を水平方向（図１中、紙面と直交する方向）に位置させる。仕切部材４は第１ハウジング５に対してピン等によって回転方向に位置決めし、穴部２５が必ずこの位置となるようにするのが好ましい。また、各穴部２５の下縁部分は第１ハウジング５の第２領域１１の第１拡径部１７の終端位置に位置する。これにより、上方の供給口７から前記隙間を介して両側の穴部２５に至る２つの内部流路２６が形成される。さらに、仕切部材４の壁部２３の内周面とシリンダ３の外周面との間には環状空間２７が形成される。内部流路２６及び環状空間２７は共に内部空間の一部であり、後述するように、第１ハウジング５の一時貯留空間５ａに流動物を均等に供給するための流路５ｂとして機能する。
【００４３】
前記構成からなるアキュムレータ１は、以下に説明するような流動物吐出システムに採用することができる。
【００４４】
例えば、図４に示すように、高圧ポンプ２８とディスペンサ２９とを結ぶ配管４０の途中にアキュムレータ１を接続することができる。配管４０には、アキュムレータ１の上流側に、高圧ポンプ２８側から減圧弁３０及び開閉弁３１を接続する。開閉弁３１はディスペンサ２９での吐出状態に応じて開閉制御する。
【００４５】
このように高圧ポンプ２８からディスペンサ２９に流動物を供給する場合、脈動等が発生する恐れがあるが、アキュムレータ１を採用することにより、そのような不具合の発生を防止できる。そして、アキュムレータ１では、図２に示すように、供給口７から内部（第２領域１１）に流入した流動物が、仕切部材４の壁部２３に衝突して分岐し、それぞれ内部流路２６を流動して穴部２５に至る。穴部２５は、左右均等に形成されているため、流動物は環状空間２７に同時に進入する。環状空間２７に進入した流動物は、さらに周方向に２分割されて流動した後、環状空間２７から第３領域１２へと流動する。このように、流動物は、２分割されて流動し、さらに２分割されて環状空間２７で広がった後、第３領域１２へと流動する。したがって、第２領域１１側から第３領域１２側に向かって、ほぼリング状の一様な流れが生じる。また、シリンダ３の先端には突出部２２が形成されているため、第３領域１２の入口部分（第２領域１１側）も環状となっている。このため、環状空間２７からの流動物の流れが第３領域１２の入口部分の形状に合致し、全体に亘って一様に流動しやすくなり、一部で滞留することがない。
【００４６】
また、図１０に示すように、ディスペンサ２９を設けることなく、アキュムレータ１から直接流動物を吐出させるようにしてもよい。この場合、アキュムレータ１の排出口８に配管４１を接続し、この配管４１の途中に開閉バルブ４２を設けるのが好ましい。これによれば、ハウジング２の一次貯留空間５ａ内に供給された流動物は、そこに突出したシリンダ３によって加圧力を受けて排出口８から流出する。開閉バルブ４２を設ける場合には、適宜、この開閉バルブ４２を開閉することにより、一次貯留空間５ａ内での流動物の圧力が常に設定範囲内となるように調整すればよい。これによれば、流動物の単位時間当たりの吐出量を安定させることが可能となる。
【００４７】
なお、本発明は、前記実施形態に記載された構成に限定されるものではなく、種々の変更が可能である。
【００４８】
前記実施形態では、ハウジング２に装着する仕切部材４を筒状としたが、例えば、図５及び図６に示すように、前記仕切部材４の穴部２５よりも上方側の部分のみからなる、断面円弧状の仕切壁３２で構成することもできる。この場合、仕切壁３２は、筒状部９の供給口が開口する内面のいずれかに固定すればよい。また第２領域１１は、第２拡径部１８を設けることなく、第１拡径部１７の内径寸法と同一の内径寸法を有する内周面のみで構成されている。これにより、仕切壁３２で分岐した流動物は、第２領域１１の上半部、すなわち内部流路２６を流動した後、第２領域１１の下半部、すなわち拡張空間５ｃで分散しながら一次貯留空間５ａの第３領域１２へと流出することになる。
【００４９】
前記実施形態では、ハウジング２内に仕切部材４を装着することにより、流路５ｂとして２つの内部流路２６を備えた構成としたが、このような流路５ｂはハウジング２の外部に接続される外部流路３３を備えた構成としてもよい。例えば、図７に示すように、ハウジング２に２箇所の供給口７を形成し、各供給口７に外部流路３３（例えば、供給管）をそれぞれ接続するようにしてもよい。この外部流路３３は、各供給口７に均等に流動物が供給されるように、分岐した各流路に於ける配管抵抗が均等になるように設計されている。これによれば、ハウジング２の内部構成を特に工夫することなく簡単に２つの流路（外部流路３３）を形成することができる。ここでは、外部流路３３は、１本の配管を途中で分岐させたものを使用している。
【００５０】
また、流路５ｂを内部流路２６と外部流路３３の両方を備えた構成としてもよい。例えば、外部流路３３により分岐させた流動物を、ハウジング２の内部に設けた内部流路２６によりさらに分岐させるようにしてもよい。これにより、前記各実施形態に比べて第３領域１２に流入させる流動物の流動形態をさらに均一なものとして、滞留の発生を防止することが可能となる。
【００５１】
前記実施形態では、仕切部材４に形成する穴部２５を２箇所とし、同一形状としたが、数や形状は相違させるようにしてもよい。例えば、図８に示すように、仕切部材４の壁部２３の周方向に複数の穴部２５を形成し、各穴部２５の形状をある位置（ここでは中心位置）から両側に向かうに従って徐々に内径寸法が大きくなるように相違させてもよい。この場合、最も小径の穴部２５を供給口７に対向させるように配置すればよい。つまり、流動物の供給位置から離れ、液圧が小さくなるに従って流動抵抗が小さくなる穴部２５を配置すればよい。これによれば、供給口７から供給された流動物が環状空間２７へと通過するのは、液圧が高い領域、すなわち供給口７に近い領域では、流動抵抗の大きな小径の穴部２５であり、液圧が低くなるに従って両側の徐々に大径となって流動抵抗の小さくなった穴部２５となる。これにより、供給口７から各穴部２５に向かう複数の流路５ｂが形成され、これら流路５ｂによって流動物の流れが分岐される。さらに、流動物は、穴部２５から環状空間２７へと流入して方向変換されることにより、一時貯留空間５ａに向かって均等な流れとなる。したがって、環状空間２７では全体に一様な流動物の流れを得ることができ、第３領域１２での流動物の滞留をより一層効果的に防止することが可能となる。
【００５２】
前記実施形態では、仕切部材４に形成する穴部２５を２箇所としたが、１箇所又は複数箇所とし、その形状が周方向に変化するように構成してもよい。例えば、図９に示すように、ある位置から両側に離れるに従って徐々に幅寸法が大きくなるような穴部２５を形成するようにしてもよい。これによれば、前記図８に示すものと同様に、流動物が穴部２５を通過する際に受ける流動抵抗は、液圧の低下に応じて、すなわち供給口７から離れるに従って小さくなり、環状空間２７への流れを周方向に一様なものとすることができる。これにより、供給口７及び環状空間２７を介して均一に流動体を供給する流路５ｂが形成される。したがって、環状空間２７から第３領域１２への流動物の流れを均一にして、この第３領域１２での部分的な流動物の滞留を防止することが可能となる。
【００５３】
前記実施形態では、シリンダ３を一時貯留空間５ａ内に突出させるのにスプリング２１の付勢力を利用するようにしたが、他の方法によりシリンダ３を動作させるようにしてもよい。
【００５４】
例えば、図１１では、流体圧を利用してシリンダ３を動作させるようにしている。すなわち、シリンダ３は、先端側のみならず後端側も閉鎖されており、第２ハウジング６の他端面との間に閉鎖空間４３を形成している。この閉鎖空間４３には、第２ハウジングの他端面に形成した貫通孔４４を介して外部から流体が供給及び排出される。使用する流体としては、空気等の気体や水等の液体が挙げられる。流体を供給及び排出するための加圧及び減圧手段としては、ポンプ４５やソレノイド（図示せず）等を利用できる。そして、閉鎖空間４３に流体を供給することにより、シリンダ３を一次貯留空間５ａ内へと突出させることができる。これにより、一次貯留空間５ａ内に貯留されている流動物が加圧され、排出口８から排出可能となる。なお、図１１では、前記実施形態と同様な構成については同一符号を付してその説明を省略する。
【００５５】
また、図１２では、モータ４６、ソレノイド（図示せず）等の駆動手段を利用してシリンダ３を動作させるようにしている。駆動手段としてモータ４６を利用する場合、シリンダ３の後端面から突出させたロッド４７にラック４８を形成し、このラック４８にモータ４６の回転軸に一体化したピニオン４９をかみ合わせるようにすればよい。また、駆動手段としてソレノイドを利用する場合、前記ロッド４７をソレノイドによって進退できるようにすればよい。なお、図１２でも、前記実施形態と同様な構成については同一符号を付してその説明を省略する。
【符号の説明】
【００５６】
１…アキュムレータ
２…ハウジング
３…シリンダ
３ａ…閉鎖壁
３ｂ…開口
４…仕切部材
５…第１ハウジング
５ａ…一時貯留空間
５ｂ…流路
５ｃ…拡張空間
６…第２ハウジング
７…供給口
８…排出口
９…筒状部
１０…第１領域
１１…第２領域
１２…第３領域
１３…第４領域
１４…シールケース
１４ａ…第１シールケース
１４ｂ…第２シールケース
１５…シール部材
１５ａ…第１シール部材
１５ｂ…第２シール部材
１６…ウェアリング
１７…第１拡径部
１８…第２拡径部
１９…閉鎖壁
２０…エア抜き孔
２１…スプリング
２２…突出部
２２ａ…円柱部
２２ｂ…円錐台部
２３…壁部
２４…鍔部
２５…穴部
２６…内部流路
２７…環状空間
２８…高圧ポンプ
２９…ディスペンサ
３０…減圧弁
３１…開閉弁
３２…仕切壁
３３…外部流路（供給管）
４０…配管
４１…配管
４２…開閉バルブ
４３…閉鎖空間
４４…貫通孔
４５…ポンプ
４６…モータ
４７…ロッド
４８…ラック
４９…ピニオン
【図１】
2018030126.tif 000003
【図２】
2018030126.tif 000004
【図３】
2018030126.tif 000005
【図４】
2018030126.tif 000006
【図５】
2018030126.tif 000007
【図６】
2018030126.tif 000008
【図７】
2018030126.tif 000009
【図８】
2018030126.tif 000010
【図９】
2018030126.tif 000011
【図１０】
2018030126.tif 000012
【図１１】
2018030126.tif 000013
【図１２】
2018030126.tif 000014